(57)【要約】【課題】本発明は高周波加熱装置を支持する脚の構成に関するものであり、使用する部品数を削減し、省資源化、作業性やコスト面を有利な高周波加熱装置とすること。【解決手段】高周波加熱装置１４を支持する脚のうち、樹脂あるいはゴムで成形して脚１７を重量が多く作用する部位のみに使用する構成としたことにより樹脂あるいはゴムで成形された脚１７の使用数量を削減し、省資源化、作業性やコスト面で有利な高周波加熱装置となる。【選択図】  図１
2004184029.tif 000002
【特許請求の範囲】
【請求項１】
高周波加熱装置を支持する脚において、重量が作用する部位の脚は、他の脚よりも摩擦力の高い材質で成形し、残りの脚は底板を下方に突出させたことを特徴とした高周波加熱装置。
【請求項２】
高周波加熱装置を支持する脚の支持面を傾斜させ、当該脚の取付け面には凹部を設け、当該傾斜した支持面を有する脚を取付ける部位の底板にも傾斜面を形成し、底板傾斜面に形成した取付け孔周囲には凸部を形成したことを特徴とした高周波加熱装置。
【請求項３】
高周波加熱装置を支持する脚の取付け部を楕円形に形成し、脚を取付け部位の底板には傾斜面を形成し、傾斜面には脚の取付け部の短径に相当する溝を形成し、前記溝内で脚取付け部の長径に相当する円弧部を数ケ所形成したことを特徴とした高周波加熱装置。
【請求項４】
高周波加熱装置を支持する脚の支持軸と取付け軸を偏心させ、脚の外周面は多面形状とし、脚取付け部位の底板には傾斜面を形成し、底板の傾斜面に形成した取付け孔の近傍で脚の外周面に相当する部位に切り起しを形成したことを特徴とした高周波加熱装置。
【請求項５】
高周波加熱装置を支持する脚の脚取付け部にネジを形成し、脚の外周には突起を設け、脚取付け位置の底板にはネジ孔を加工し、ネジ孔近傍で脚の外周に設けられた突起に対応する位置には複数個の孔を形成したことを特徴とした高周波加熱装置。
【請求項６】
摩擦力の高い材質に、ゴムあるいは樹脂を用いたことを特徴とした請求項１に記載の高周波加熱装置。
【発明の詳細な説明】
【０００１】
【発明の属する技術分野】
本発明は、高周波加熱装置を支持する脚の構成、形状に関するものである。
【０００２】
【従来の技術】
従来の脚の構成は、図１６および図１７に示したように、底板１に４ケの孔２同一高さの面に形成し、孔２にゴムあるいは樹脂で成形された取付け軸と支持軸が同一の脚３Ａ、脚３Ｂを取付けて高周波加熱装置４を支持していた（例えば、特許文献１参照。）。
【０００３】
また、図１８および図１９に示したように底板に脚を固着され高さ調整できないものであった。
【０００４】
【特許文献１】
特開昭６２−１０２０３６号公報
【０００５】
【発明が解決しようとする課題】
しかしながら、前記図１６および図１７に示した従来の構成では、高周波加熱装置４を支持するために、樹脂あるいはゴムで形成された４ケの脚３Ａおよび脚３Ｂを使用することになっていた。高周波加熱装置４の操作部５側にマグネトロン６や高圧トランス７などほとんどの電気部品が配置され、高周波加熱装置４の重量がほとんど操作部側の脚３Ａに作用し、対向側の脚３Ｂにはほとんど重量が作用せず摩擦力も少ないことから、脚３Ｂは設置性にほとんど寄与していないにもかかわらず、４ケのゴムあるいは樹脂で成形された脚３Ａおよび脚３Ｂを使用しており、省資源化、作業性やコスト面で課題があった。
【０００６】
前記図１８および図１９に示した従来の構成では、高周波加熱装置８を支持するために、４ケの脚９を底板１０に取付けて、高周波加熱装置８を水平に設置しょうとするのであるが、設置面１１に凹凸１２がある場合などに、高周波加熱装置８の一部の脚は浮き、がたつきが発生することになる。高周波加熱装置１０の扉を開閉した場合、高周波加熱装置８ががたつき、加熱室内の被加熱物が容器からこぼれて、加熱室内が汚れたり、使用者が火傷する恐れがあるといった課題があった。また、高周波加熱装置８ががたついた場合、図１９に示したように使用者は紙１３などを脚の下に敷してがたつきを無くしているが、紙１３などが高周波加熱装置の下から見え外観品位が低下するといった課題もあった。
【０００７】
【課題を解決するための手段】
前記従来例図１６および図１７にみられたように省資源化、作業性やコスト面での課題を解消するために、高周波加熱装置を支持する脚のうち、多くの重量が作用する部位の脚は、樹脂あるいはゴムで成形した脚を底板に取付けて形成し、残りの脚は底板を下方に突出させて形成する構成とした。
【０００８】
このように、重量が多く作用する部位以外の脚は底板を下方に突出させて形成したことにより、ゴムあるいは樹脂で成形された脚の使用を削減することができ、省資源化が可能なだけでなく、作業時間が短縮され、作業性やコスト面での課題を解消することができる。また、重量が多く作用する部位には樹脂あるいはゴムで成形した脚を底板に取付ける構成としていることから、従来例と同じ程度の摩擦力が脚と設置面間で働くことになり、従来例と同じ程度の保持性で高周波加熱装置を支持することができる。
【０００９】
前記従来例図１８にみられたように、設置面の凹凸などから高周波加熱装置ががたつき、被加熱物が容器からこぼれて、加熱室内が汚れたり、使用者が火傷する恐れがあったり、がたつきを無くする紙などにより外観品位が低下するといった課題を解消するために、高周波加熱装置を支持する脚の支持面を傾斜させ、当該脚の取付け面には凹部を設け、傾斜した支持面を有する脚を取付ける底板にも傾斜面を形成し、底板の傾斜面に形成した脚の取付け孔周囲には凸部を形成する構成とした。
【００１０】
このように、複数個の脚で支持される高周波加熱装置にがたつきが発生した場合、傾斜した支持面を有する脚を回転させることにより、傾斜した支持面を有する脚は底板の傾斜面上で回転し容易に高さを変えることができることから、複数個の脚全てを設置面とほぼ接触させることができる。また、脚に設けた凹部が底板の凸部と係合して脚の回転が規制されることから設定した脚の高さが保持され、高周波加熱装置はがたつくこともなく安定して支持されることになる。したがって、従来例にみられたような、被加熱物が容器からこぼれ、加熱室内が汚れたり、火傷の恐れがあるといった課題を解消することができる。また、脚を回転させるだけでがたつきが修正できることから、従来例にみられた紙などにより外観品位が低下するといった課題も解消することができる。
【００１１】
前記従来例図１８にみられたように、設置面の凹凸などから使用中に高周波加熱装置ががたつき、被加熱物が容器からこぼれ、加熱室内が汚れたり、使用者が火傷する恐れがあったり、外観品位が低下するといった課題を解消するために、高周波加熱装置を支持する脚の取付け部を楕円形に形成し、脚取付け部位の底板に傾斜面を形成し、傾斜面には脚取付け部の短径に相当する溝を設け、前記溝内で脚取付け部の長径に相当する円弧部を数ケ所形成する構成とした。
【００１２】
これにより、複数個の脚で支持される高周波加熱装置にがたつきが発生した場合、取付け部が楕円形した脚の短径方向を底板に形成した溝方向に合わせて脚
を移動させ、がたつきが解消される脚高さの円弧部で脚を回転させて楕円形の長径が円弧部と嵌合するようにすれば脚の移動は規制され、複数個の脚が設置面とほぼ接触して支持されることから、高周波加熱装置ががたついて、加熱室内が汚れたり、使用者が火傷する恐れがあるといった課題を解消することができる。また、がたつきを解消するために紙などを脚の下に敷く必要もなく、外観品位の低下するといった課題も解消することができる。
【００１３】
前記従来例図１８にみられたように、設置面の凹凸などから高周波加熱装置ががたつき、被加熱物が容器からこぼれ、加熱室内が汚れたり、使用者が火傷する恐れがあったり、外観品位が低下するといった課題を解消するために、高周波加熱装置を支持する脚の支持軸と取付け軸を偏心させ、脚の外周面は多面形状にし、当該脚取付け部位の底板には傾斜面を形成し、底板傾斜面に形成した取付け孔の近傍で脚の外周面に相当する部位に切り起しを形成する構成とした。
【００１４】
これにより、高周波加熱装置にがたつきが発生した場合、支持軸と取付け軸を偏心させた脚を回転させれば、脚は底板の傾斜面を回転して脚高さを変化させることができる。そして、すべての脚が設置面に接触する脚の回転位置で底板の
切り起しを曲げて脚の外周面に当接させれば、脚の回転が規制され脚は設定の高さに保持されることになる。したがって、高周波加熱装置はがたつくこともなく被加熱物がこぼれて、加熱室内が汚れたり、使用者が火傷する恐れがあるといった課題を解消することができる。また、脚の調整で容易にがたつきが修正でき、従来例にみられた外観品位が低下するといった課題も解消することができる。
【００１５】
前記従来例図１８にみられたように、設置面の凹凸などから高周波加熱装置ががたつき、被加熱物が容器からこぼれ、加熱室内が汚れたり、使用者が火傷する恐れがあるといった課題を解消するために、高周波加熱装置を支持する脚の取付け部にはネジを形成し、脚の外周には突起を設け、脚の取付け位置の底板にはネジ孔を加工し、ネジ孔近傍で脚の外周に設けられた突起に対応する位置には複数個の孔を形成する構成とした。
【００１６】
これにより、高周波加熱装置にがたつきが発生した場合、脚に設けた突起を底板に形成した孔から出し、脚を回転させて脚高さを調整し、がたつきが無くなるネジ込み位置で再び突起を底板の孔に挿入すれば脚の回転は規制され、脚高さが固定されることになる。このように容易に高周波加熱装置のがたつきを無くすることができ、従来例にみられたような、加熱室内が汚れたり、使用者が火傷をする恐れがあったり、外観品位が低下するといった課題を解消することができる。
【００１７】
【発明の実施の形態】
請求項１または６に記載の発明は、高周波加熱装置を支持する脚のうち、重量が作用する部位の脚は、樹脂あるいはゴムで成形し、残りの脚は底板を下方に突出させて形成する構成とした。
【００１８】
そして、樹脂あるいはゴムで成形された脚は、重量が多く作用する部位のみに使用する構成であることから、成形された脚の使用を削減することが可能なだけでなく、成形された脚を底板に取付ける作業時間も短縮でき、従来例にみられた省資源化、作業性やコスト面での課題を解消することができる。また、多くの重量が作用する側に樹脂あるいはゴムで成形した脚を使用する構成であることから脚と設置面間の摩擦力は従来例と同じ程度作用し、安定して高周波加熱装置を支持することができる。
【００１９】
請求項２記載の発明は、高周波加熱装置を支持する脚の支持面を傾斜させ、当該脚の取付け面には凹部を設け、当該傾斜した支持面を有する脚を取付ける部位の底板にも傾斜面を形成し、底板傾斜面に形成した取付け孔周囲には凸部を形成する構成とした。
【００２０】
そして、設置面の凹凸などから高周波加熱装置にがたつきが発生した場合、傾斜した支持面を有する脚を回転させるだけで、全ての脚を設置面とほぼ接触させることができ、回転させた脚の凹部と底板の凸部が係合して回転が規制され、脚高さは保持されることになる。したがって、従来例にみられたような加熱室内が汚れたり、使用者が火傷する恐れがあったり、外観品位が低下するといった課題を解消することができる。
【００２１】
請求項３記載の発明は、高周波加熱装置を支持する脚の取付け部を楕円形に形成し、脚を取付ける部位の底板に傾斜面を形成し、傾斜面には脚の取付け部楕円形の短径に相当する溝を形成し、前記溝内で脚取付け部の長径に相当する円弧部を数ケ所形成する構成とした。
【００２２】
そして、設置面の凹凸などから高周波加熱装置にがたつきが発生した場合、取付け部が楕円形とした脚を回転させて脚を傾斜面に形成した溝内を移動させ、適した脚高さに相当する円弧部で脚を回転させて、楕円の長径方向が円弧部と係合するようにすれば、全ての脚が設置面と接触してがたつくことなく高周波加熱装置を支持することができる。したがって、従来例にみられた加熱室内が汚れたり使用者が火傷する恐れがあったり、外観品位が低下するといった課題を解消することができる。
【００２３】
請求項４記載の発明は、高周波加熱装置を支持する脚の支持軸と取付け軸を偏心させ、脚の外周面は多面形状とし、脚取付け部位の底板には傾斜面を形成し、底板の傾斜面に形成した取付け孔の近傍で脚の外周面に相当する部位に切り起しを形成する構成とした。
【００２４】
そして、設置面の凹凸などから高周波加熱装置にがたつきが発生した場合、支持軸と取付け軸が偏心した脚を回転させれば、脚は底板に形成した傾斜面上を移動し、脚高さが変化することになり、全ての脚が設置面とほぼ接触するような脚の回転位置で、底板に形成された切り起こしを脚の外周面に当接すれば、脚の回転が規制され脚の高さが固定され、がたつくことなく高周波加熱装置は支持されることになる。したがって、従来例にみられたような加熱室内が汚れたり、使用者が火傷する恐れがあったり、外観品位が低下するといった課題を解消することができる。
【００２５】
請求項５記載の発明は、高周波加熱装置を支持する脚の脚取付け部にネジを形成し、脚の外周には突起を設け、底板の当該脚取付け位置にはネジ孔を加工し、ネジ孔近傍で脚の外周に設けられた突起に対応する位置には複数個の孔を形成する構成とした。
【００２６】
そして、設置面の凹凸などから高周波加熱装置にがたつきが発生した場合、脚の外周に設けた突起を底板に形成した孔から出し、脚を回転させれば脚高さが変化し、がたつきが無くなるねじ込み位置で再び脚に設けた突起を底板に形成した孔に挿入すれば、脚の回転が止まり、脚高さが固定され、がたつきがなく高周波加熱装置は支持されることになる。したがって、従来例にみられた加熱室内が汚れたり、使用者が火傷する恐れがあったり、外観品位が低下するといった課題を解消することができる。
【００２７】
【実施例】
以下本発明の実施例について、図面を参照しながら説明する。
【００２８】
（実施例１）
図１は本発明１の脚の構成を示した斜視図である。図２は、本発明１の脚の構成を示した断面図である。図３は、本発明１の脚に作用する重量割合を説明した正面図である。
【００２９】
１４は高周波加熱装置であり、高周波加熱装置１４の下部には金属製の底板１５が取付けられている。１６は操作部であり、操作部１６側の脚１７は樹脂あるいはゴムより成形され、底板１５に形成された孔１５Ａに取付けられている。対向側の脚１８は底板１５を絞り加工して形成されている。１９はマグネトロンであり、２０は高圧トランスを示しており、ともに操作部１２側に配置されている。
【００３０】
高周波加熱装置１４の重量を脚１７および脚１８で支持するのであるが、操作部１６側にはマグネトロン１９や高圧トランス２０など多くの電気部品が取付けられており、重量の多くは操作部１６側の脚１７に作用することになる。この状況を図３に示している。本発明１の実施例では、高周波加熱装置１４の重量１２Ｋｇ（Ｗ１）のうち、約１０Ｋｇが操作部１６側の脚１７に作用し、約２Ｋｇが脚１８に作用する結果となった。図３中、高周波加熱装置の重量Ｗ１は重心の位置に作用し、Ｗ２は脚１７が支える重量を示し、Ｗ３は脚１８が支える重量を示している。また、Ｌ１は重心と脚１７の距離を示し、Ｌ２は重心と脚１８の距離を示している。理論上Ｗ１＝Ｗ２＋Ｗ３、Ｗ２×Ｌ１＝Ｗ３×Ｌ２の関係が成り立つことになる。
【００３１】
このように本発明１では、高周波加熱装置１４の多くの重量が作用する操作部１６側の脚１７のみ樹脂あるいはゴムで成形されたものを使用したことにより、樹脂あるいはゴムで成形された脚１７の使用を削減することができ、省資源化が可能なだけでなく、成形された脚を底板１５に取付ける作業時間が短縮でき、作業性やコスト面での課題を解消することができる。
【００３２】
また、多くの重量が作用する部位には樹脂あるいはゴムで成形された脚１７を使用する構成であることから、従来例と同じ程度の摩擦力が脚と置台間に作用することから、従来例と同じ程度安定して高周波加熱装置１４支持することができる。
【００３３】
（実施例２）
図４は本発明２の脚形状を示した平面図と正面図である。図５は本発明２の底板形状を示した平面図と断面図である。図６は本発明２の効果を示した側面図である。
【００３４】
２１は本発明２の脚であり、脚２１の支持面２１Ａは傾斜している。２１Ｂは脚２１の取付け面２１Ｃに形成された凹部である。底板２２の脚２１を取付ける部位には傾斜面２２Ａが形成されており、傾斜面２２Ａに設けられた取付け孔２２Ｂに脚２１の保持部２１Ｄを挿入することによって、脚２１が底板２２に取付けられることになる。また、脚２１に設けられた凹部２１Ｂが係合する位置の底板２２には凸部２２Ｃが形成されており脚２１の凹部２１Ｂと底板２２の凸部２２Ｃが係合して脚２１の回転を規制することになる。
【００３５】
このような構成の脚２１に支持された高周波加熱装置２３に、設置面２４の凹凸２５などによりがたつきが発生した場合、脚２１を回転してやれば、脚２１の凹部２１Ｂが底板２２の凸部２２Ｃを乗り越えて脚２１は回転し、支持面２１Ａが傾斜していることにより、脚２１の高さが変わることになる。設置面２４と全ての脚がほぼ接触する位置で脚２１の回転を停止すれば、高周波加熱装置２３はがたつくことなく設置面２４上に支持されることになる。本発明２の脚２１は高周波加熱装置２３を支持する全ての脚に使用する必要もなく、本実施例２では４ケの脚のうち２ケのみ使用する構成とした。
【００３６】
このように本発明２によれば、設置面２４に凹凸２５があっても脚２１を回転するだけで容易にがたつきを無くすることができることから、従来例にみられたような高周波加熱装置の加熱室内が汚れたり、使用者が火傷する恐れがあったり外観品位が低下するといった課題を解消することができる。
【００３７】
（実施例３）
図７は本発明３の脚形状を示した平面図と正面図である。図８は本発明３は底板形状を示した平面図と断面図である。図９は本発明３の効果を示した側面図である。
【００３８】
２６は本発明３の脚であり、取付け部２６Ａは短径Ｄ１、長径Ｄ２を有する楕円形に形成されている。２７は底板であり、脚２６の取付け部位には傾斜面２７Ａが形成されており、傾斜面２７Ａ上には脚２６に形成された取付け部の短径Ｄ１に係合する溝２７Ｂが設けられており、溝２７Ｂ内の何ケ所かには長径Ｄ２に係合する円弧部２７Ｃが形成されている。
【００３９】
このような構成の脚２６に支持された高周波加熱装置２８に、設置面２９に凹凸３０によってがたつき発生した場合、脚２６を回転させて、短径Ｄ１を溝２７Ｂ方向に合わせて脚２６を移動させ、がたつきが無くなる円弧部２７Ｃで脚２６を回転させれば、脚２６の長径Ｄ２が円弧部２７Ｃと係合して脚２６の移動は停止し、高周波加熱装置２８は安定して支持させることになる。また、本発明３の脚２６は高周波加熱装置２８を支持する全ての脚に使用する必要はなく、本実施例３では２ケのみ本発明３の脚２６を使用した。
【００４０】
このように本発明３によれば、設置面２９に凹凸３０があっても脚２６を回転させて移動させるだけで高周波加熱装置２８のがたつきを無くすることができ、従来例にみられたような加熱室内が汚れたり、使用者が火傷する恐れがあったり、外観品位が低下するといった課題を解消することができる。
【００４１】
（実地例４）
図１０は本発明４の脚形状を示した平面図と正面図である。図１１は本発明４の底板形状を示した平面図と断面図である。図１２は本発明４の効果を示した側面図である。
【００４２】
３１は本発明４の脚であり、支持軸３１Ａと取付け軸３１Ｂは偏心している。脚の外周面３１Ｃは多面形状に形成されている。３２は本発明４の底板であり、脚３１を取付ける部位には傾斜面３２Ａが形成されている。傾斜面３２Ａ上には取付け孔３２Ｂが設けられ、脚３１を保持することができるようになっている。取付け孔３２Ｂの周囲で脚の外周面３１Ｃと当接する位置には切り起し３２Ｃが形成されている。本発明４の脚３１は高周波加熱装置３３を支持する全ての脚に使用する必要はなく、本実施例４では高周波加熱装置を支持する４ケの脚のうち２ケのみ本発明の脚３１を使用した。
【００４３】
このような構成の脚３１に支持された高周波加熱装置３３に、設置面３４の凹凸３５などによりがたつきが発生した場合、底板３２の切り起し３２Ｃを倒した後、脚３１の取付け軸３１Ｂを中心に回転してやれば、支持軸３１Ａと取付け軸３１Ｂが偏心していることから、脚３１は底板３２の傾斜面３２Ａを移動しながら設置面３４との距離を変化させていくことになる。脚３１が設置面３４の凹凸３５と接触する位置で脚３１の回転を停止し、底板３２に形成した切り起し３２Ｃを多面形状した脚の外周面３１Ｃに当接させれば、脚３１の回転は規制され高周波加熱装置３３はがたつくことなく安定して支持されることになる。
【００４４】
このように本発明４によれば、高周波加熱装置３３に設置面３４の凹凸３５などによりがたつきが発生した場合でも、脚３１を回転させて、切り起し３２Ｃを当接するだけでがたつきを無くすることができることから、従来例にみられてような被加熱物がこぼれて加熱室内が汚れたり、使用者が火傷する恐れがあったり外観品位が低下するといった課題を解消することができる。
【００４５】
（実施例５）
図１３は本発明５の脚形状を示した平面図と正面図である。図１４は本発明５の底板形状を示した平面図と断面図である。図１５は本発明５の効果を示した側面図である。
【００４６】
３６は本発明５の脚であり、取付け部３６Ａにはネジ３６Ｂが形成されている。取付け部３６Ａの外周には突起３６Ｃが形成されている。３７は底板であり、脚３６の取付け位置にはネジ孔３７Ａが加工されており、脚３６の突起３６Ｂに対応する位置には複数の孔３７Ｂが形成されている。
【００４７】
このような構成の脚３６に支持された高周波加熱装置３８に、設置面３９の凹凸４０などによりがたつき発生した場合でも、脚３６の突起３６Ｂを底板３７の孔３７Ｂから取り出し、脚３６を回転させて脚の高さを変え、がたつきの無くなるネジ込み位置で再び脚３６の突起３６Ｂを孔３７Ｂに挿入すれば、脚３６の回転は規制され、脚３６は高周波加熱装置３７をがたつくことなく支持することができる。
【００４８】
このように本発明５によれば、高周波加熱装置３８に設置面３９の凹凸４０などにより、がたつきが発生した場合でも、脚３６を回転させ突起３６Ｂを底板３７に形成されて孔３７Ｂに挿入するだけでがたつきを無くすることができ、従来例にみられたような被加熱物がこぼれて、加熱室内が汚れたり、使用者が火傷する恐れがあったり、外観品位が低下するといった課題を解消することができる。
【００４９】
【発明の効果】
以上のように、本発明によれば、省資源化、作業性やコスト面での課題を解消することができる。また、脚と置台との摩擦力は従来と同じ程度作用し、従来と同じ程度の保持性で高周波加熱装置を支持することができる。
【図面の簡単な説明】
【図１】本発明１の実施例における脚の構成を示した斜視図
【図２】本発明１の実施例における脚の構成を示した断面図
【図３】本発明１の実施例における脚に作用する重量割合を説明して正面図
【図４】本発明２の実施例における脚形状を示した平面図と正面図
【図５】本発明２の実施例における底板形状を示した平面図と側面図
【図６】本発明２の効果を示した側面図
【図７】本発明３の実施例における脚形状を示した平面図と正面図
【図８】本発明３の実施例における底板形状を示した平面図と断面図
【図９】本発明３の効果を示した側面図
【図１０】本発明４の実施例における脚形状を示した平面図と正面図
【図１１】本発明４の実施例における底板形状を示した平面図と断面図
【図１２】本発明４の効果を示した側面図
【図１３】本発明５の実施例における脚形状を示した平面図と正面図
【図１４】本発明５の実施例における底板形状を示した平面図と断面図
【図１５】本発明５の効果を示した側面図
【図１６】従来例の構成を示した斜視図
【図１７】従来例の構成を示した正面図
【図１８】従来例の課題を示した正面図
【図１９】従来例の対策を示した正面図
【符号の説明】
１５  底板
１５Ａ  孔
１６  脚
１７  脚
２１  脚
２１Ａ  支持面
２１Ｂ  凹部
２１Ｃ  取付け面
２１Ｄ  保持部
２２  底板
２２Ａ  傾斜面
２２Ｂ  取付け孔
２２Ｃ  凸部
２６  脚
２６Ａ  取付け部
Ｄ１  短径
Ｄ２  長径
２７  底板
２７Ａ  傾斜面
２７Ｂ  溝
２７Ｃ  円弧部
３１  脚
３１Ａ  支持軸
３１Ｂ  取付け軸
３１Ｃ  脚の外周面
３２  底板
３２Ａ  傾斜面
３２Ｂ  取付け孔
３２Ｃ  切り起し
３６  脚
３６Ａ  取付け部
３６Ｂ  ネジ
３６Ｃ  突起
３７  底板
３７Ａ  ネジ孔
３７Ｂ  孔
【図１】
2004184029.tif 000003
【図２】
2004184029.tif 000004
【図３】
2004184029.tif 000005
【図４】
2004184029.tif 000006
【図５】
2004184029.tif 000007
【図６】
2004184029.tif 000008
【図７】
2004184029.tif 000009
【図８】
2004184029.tif 000010
【図９】
2004184029.tif 000011
【図１０】
2004184029.tif 000012
【図１１】
2004184029.tif 000013
【図１２】
2004184029.tif 000014
【図１３】
2004184029.tif 000015
【図１４】
2004184029.tif 000016
【図１５】
2004184029.tif 000017
【図１６】
2004184029.tif 000018
【図１７】
2004184029.tif 000019
【図１８】
2004184029.tif 000020
【図１９】
2004184029.tif 000021